(57)【要約】  本発明の実施例はアップリンクデータ伝送方法、ネットワーク側装置及び端末装置を提供し、該方法は、ネットワーク側装置が前記端末装置から送信されるアップリンクデータを受信することと、前記アップリンクデータを正しく受信した場合、前記ネットワーク側装置が第１時間周波数リソースにおいて前記ネットワーク側装置の前記アップリンクデータを正しく受信したことを示すための第１シーケンスを前記端末装置に送信することと、を含む。本発明の実施例は端末装置とネットワーク側装置とがデータ伝送を正常に行えるように確保することができる。
2020501384.tif 000002
【特許請求の範囲】
【請求項１】
アップリンクデータ伝送方法であって、
ネットワーク側装置が端末装置から送信されるアップリンクデータを受信することと、
前記アップリンクデータを正しく受信した場合、前記ネットワーク側装置は第１時間周波数リソースにおいて前記ネットワーク側装置が前記アップリンクデータを正しく受信したことを示すための第１シーケンスを前記端末装置に送信することと、を含むことを特徴とする、アップリンクデータ伝送方法。
【請求項２】
前記方法は、更に、
前記ネットワーク側装置が前記端末装置の専用パラメータに基づいて前記第１時間周波数リソースの占有されている時間領域位置及び／又は周波数領域位置を確定することを含むことを特徴とする
請求項１に記載の方法。
【請求項３】
前記方法は、更に、
前記ネットワーク側装置が前記第１時間周波数リソースの占有されている時間領域位置及び／又は周波数領域位置を示すための第１指示情報を前記端末装置に送信することを含むことを特徴とする
請求項１に記載の方法。
【請求項４】
前記方法は、更に、
前記ネットワーク側装置が前記第１シーケンスの長さを確定することと、
前記ネットワーク側装置が前記第１シーケンスの長さを示すための第２指示情報を前記端末に送信することと、を含むことを特徴とする
請求項１乃至３のいずれか１項に記載の方法。
【請求項５】
前記方法は、更に、
前記ネットワーク側装置が前記端末装置の専用パラメータに基づいて前記第１シーケンスを生成することを含むことを特徴とする
請求項１乃至４のいずれか１項に記載の方法。
【請求項６】
前記ネットワーク側装置が第２時間周波数リソースにおいて前記アップリンクデータを受信し、前記第２時間周波数リソースが時間ユニットＮを占有し、前記第１時間周波数リソースが時間ユニットＮ＋Ｋを占有し、ＮとＫがいずれも非負整数であることを特徴とする
請求項１乃至５のいずれか１項に記載の方法。
【請求項７】
前記第１時間周波数リソースが少なくとも１つの物理リソースブロック（ＰＲＢ）におけるすべての利用可能なリソース要素（ＲＥ）であることを特徴とする
請求項１乃至６のいずれか１項に記載の方法。
【請求項８】
前記第１時間周波数リソースが少なくとも１つのＰＲＢの時間シンボルの一部におけるすべての利用可能なＲＥであることを特徴とする
請求項１乃至６のいずれか１項に記載の方法。
【請求項９】
前記第１時間周波数リソースが少なくとも１つの時間シンボルにおける利用可能なＲＥであることを特徴とする
請求項１乃至６のいずれか１項に記載の方法。
【請求項１０】
前記第１シーケンスが直交シーケンス又はＺＣシーケンスであることを特徴とする
請求項１乃至９のいずれか１項に記載の方法。
【請求項１１】
前記方法は、更に、
前記アップリンクデータを正しく受信していない場合、前記ネットワーク側装置が前記第１時間周波数リソースにおいて前記ネットワーク側装置が前記アップリンクデータを正しく受信していないことを示すための第２シーケンスを前記端末装置に送信することを含むことを特徴とする
請求項１乃至１０のいずれか１項に記載の方法。
【請求項１２】
前記方法がスケジューリングなしでのアップリンクデータの伝送に適用されることを特徴とする
請求項１乃至１１のいずれか１項に記載の方法。
【請求項１３】
アップリンクデータ伝送方法であって、
端末装置がネットワーク側装置にアップリンクデータを送信することと、
前記端末装置は第１時間周波数リソースにおいて前記ネットワーク側装置から送信される、前記ネットワーク側装置が前記アップリンクデータを正しく受信したことを示すための第１シーケンスを検出することと、を含むことを特徴とする、アップリンクデータ伝送方法。
【請求項１４】
前記方法は、更に、
前記端末装置が前記端末装置の専用パラメータに基づいて前記第１時間周波数リソースの占有されている時間領域位置及び／又は周波数領域位置を確定することを含むことを特徴とする
請求項１３に記載の方法。
【請求項１５】
前記方法は、更に、
前記端末装置が前記ネットワーク側装置から送信される、前記第１時間周波数リソースの時間領域位置及び／又は周波数領域位置を示すための第１指示情報を受信することと、
前記端末装置が前記第１指示情報に基づいて前記第１時間周波数リソースを確定することと、を含むことを特徴とする
請求項１３に記載の方法。
【請求項１６】
前記方法は、更に、
前記端末装置が前記ネットワーク側装置から送信される、前記第１シーケンスの長さを示すための第２指示情報を受信することと、
前記端末装置が前記第２指示情報に基づいて前記第１シーケンスの長さを確定することと、を含むことを特徴とする
請求項１３乃至１５のいずれか１項に記載の方法。
【請求項１７】
前記方法は、更に、
前記端末装置が前記端末装置の専用パラメータに基づいて前記第１シーケンスを確定することを含むことを特徴とする
請求項１３乃至１６のいずれか１項に記載の方法。
【請求項１８】
前記端末装置が第２時間周波数リソースにおいて前記アップリンクデータを送信し、前記第２時間周波数リソースが時間ユニットＮを占有し、前記第１時間周波数リソースが時間ユニットＮ＋Ｋを占有し、ＮとＫがいずれも非負整数であることを特徴とする
請求項１３乃至１７のいずれか１項に記載の方法。
【請求項１９】
前記第１時間周波数リソースが少なくとも１つの物理リソースブロック（ＰＲＢ）におけるすべての利用可能なリソース要素（ＲＥ）であることを特徴とする
請求項１３乃至１８のいずれか１項に記載の方法。
【請求項２０】
前記第１時間周波数リソースが少なくとも１つのＰＲＢの時間シンボルの一部におけるすべての利用可能なＲＥであることを特徴とする
請求項１３乃至１８のいずれか１項に記載の方法。
【請求項２１】
前記第１時間周波数リソースが少なくとも１つの時間シンボルにおける利用可能なＲＥであることを特徴とする
請求項１３乃至１８のいずれか１項に記載の方法。
【請求項２２】
前記第１シーケンスが直交シーケンス又はＺＣシーケンスであることを特徴とする
請求項１３乃至２１のいずれか１項に記載の方法。
【請求項２３】
前記方法は、更に、
前記端末装置が第１時間周波数リソースにおいて前記ネットワーク側装置から送信される、前記ネットワーク側装置が前記アップリンクデータを正しく受信していないことを示すための第２シーケンスを検出することを含むことを特徴とする
請求項１３乃至２２のいずれか１項に記載の方法。
【請求項２４】
前記方法がスケジューリングなしでのアップリンクデータの伝送に適用されることを特徴とする
請求項１３乃至２３のいずれか１項に記載の方法。
【請求項２５】
ネットワーク側装置であって、
端末装置から送信されるアップリンクデータを受信するための受信モジュールと、
前記受信モジュールが前記アップリンクデータを正しく受信した場合、前記ネットワーク側装置が前記アップリンクデータを正しく受信したことを示すための第１シーケンスを前記端末装置に送信するための送信モジュールと、を含むことを特徴とする、ネットワーク側装置。
【請求項２６】
前記ネットワーク側装置は、更に、
前記端末装置の専用パラメータに基づいて前記第１時間周波数リソースが占有されている時間領域位置及び／又は周波数領域位置を確定するための第１確定モジュールを含むことを特徴とする
請求項２５に記載のネットワーク側装置。
【請求項２７】
前記送信モジュールは、更に、前記第１時間周波数リソースが占有されている時間領域位置及び／又は周波数領域位置を示すための第１指示情報を前記端末装置に送信することに用いられることを特徴とする
請求項２５に記載のネットワーク側装置。
【請求項２８】
前記ネットワーク側装置は、更に、
前記第１シーケンスの長さを確定するための第２確定モジュールを含み、
前記送信モジュールは前記第１シーケンスの長さを示すための第２指示情報を前記端末に送信することに用いられることを特徴とする
請求項２５乃至２７のいずれか１項に記載のネットワーク側装置。
【請求項２９】
前記ネットワーク側装置は、更に、
前記端末装置の専用パラメータに基づいて前記第１シーケンスを生成するための生成モジュールを含むことを特徴とする
請求項２５乃至２８のいずれか１項に記載のネットワーク側装置。
【請求項３０】
前記受信モジュールは具体的に第２時間周波数リソースにおいて前記アップリンクデータを受信することに用いられ、前記第２時間周波数リソースが時間ユニットＮを占有し、前記第１時間周波数リソースが時間ユニットＮ＋Ｋを占有し、ＮとＫがいずれも非負整数であることを特徴とする
請求項２５乃至２９のいずれか１項に記載のネットワーク側装置。
【請求項３１】
前記第１時間周波数リソースが少なくとも１つの物理リソースブロック（ＰＲＢ）におけるすべての利用可能なリソース要素（ＲＥ）であることを特徴とする
請求項２５乃至３０のいずれか１項に記載のネットワーク側装置。
【請求項３２】
前記第１時間周波数リソースが少なくとも１つのＰＲＢの時間シンボルの一部におけるすべての利用可能なＲＥであることを特徴とする
請求項２５乃至３０のいずれか１項に記載のネットワーク側装置。
【請求項３３】
前記第１時間周波数リソースが少なくとも１つの時間シンボルにおける利用可能なＲＥであることを特徴とする
請求項２５乃至３０のいずれか１項に記載のネットワーク側装置。
【請求項３４】
前記第１シーケンスが直交シーケンス又はＺＣシーケンスであることを特徴とする
請求項２５乃至３３のいずれか１項に記載のネットワーク側装置。
【請求項３５】
前記送信モジュールは、更に、前記アップリンクデータを正しく受信していない場合、前記第１時間周波数リソースにおいて前記ネットワーク側装置が前記アップリンクデータを正しく受信していないことを示すための第２シーケンスを前記端末装置に送信することに用いられることを特徴とする
請求項２５乃至３４のいずれか１項に記載のネットワーク側装置。
【請求項３６】
前記ネットワーク側装置がスケジューリングなしでのアップリンクデータの伝送に適用されることを特徴とする
請求項２５乃至３５のいずれか１項に記載のネットワーク側装置。
【請求項３７】
端末装置であって、
ネットワーク側装置にアップリンクデータを送信するための通信モジュールと、
第１時間周波数リソースにおいて前記ネットワーク側装置から送信される、前記ネットワーク側装置が前記アップリンクデータを正しく受信したことを示すための第１シーケンスを検出するための処理モジュールと、を含むことを特徴とする、端末装置。
【請求項３８】
前記処理モジュールは、更に、前記端末装置の専用パラメータに基づいて前記第１時間周波数リソースが占有されている時間領域位置及び／又は周波数領域位置を確定することに用いられることを特徴とする
請求項３７に記載の端末装置。
【請求項３９】
前記通信モジュールは、更に、前記ネットワーク側装置から送信される、前記第１時間周波数リソースの時間領域位置及び／又は周波数領域位置を示すための第１指示情報を受信することに用いられ、
前記処理モジュールは前記第１指示情報に基づいて前記第１時間周波数リソースを確定することに用いられることを特徴とする
請求項３７に記載の端末装置。
【請求項４０】
前記通信モジュールは、更に、前記ネットワーク側装置から送信される、前記第１シーケンスの長さを示すための第２指示情報を受信することに用いられ、
前記処理モジュールは、更に、前記第２指示情報に基づいて前記第１シーケンスの長さを確定することに用いられることを特徴とする
請求項３７乃至３９のいずれか１項に記載の端末装置。
【請求項４１】
前記処理モジュールは、更に、前記端末装置の専用パラメータに基づいて前記第１シーケンスを確定することに用いられることを特徴とする
請求項３７乃至４０のいずれか１項に記載の端末装置。
【請求項４２】
前記通信モジュールは具体的に第２時間周波数リソースにおいて前記アップリンクデータを送信することに用いられ、前記第２時間周波数リソースが時間ユニットＮを占有し、前記第１時間周波数リソースが時間ユニットＮ＋Ｋを占有し、ＮとＫがいずれも非負整数であることを特徴とする
請求項３７乃至４１のいずれか１項に記載の端末装置。
【請求項４３】
前記第１時間周波数リソースが少なくとも１つの物理リソースブロック（ＰＲＢ）におけるすべての利用可能なリソース要素（ＲＥ）であることを特徴とする
請求項３７乃至４２のいずれか１項に記載の端末装置。
【請求項４４】
前記第１時間周波数リソースが少なくとも１つのＰＲＢの時間シンボルの一部におけるすべての利用可能なＲＥであることを特徴とする
請求項３７乃至４２のいずれか１項に記載の端末装置。
【請求項４５】
前記第１時間周波数リソースが少なくとも１つの時間シンボルにおける利用可能なＲＥであることを特徴とする
請求項３７乃至４２のいずれか１項に記載の端末装置。
【請求項４６】
前記第１シーケンスが直交シーケンス又はＺＣシーケンスであることを特徴とする
請求項３７乃至４５のいずれか１項に記載の端末装置。
【請求項４７】
前記送信モジュールは、更に、第１時間周波数リソースにおいて前記ネットワーク側装置から送信される、前記ネットワーク側装置が前記アップリンクデータを正しく受信していないことを示すための第２シーケンスを検出することに用いられることを特徴とする
請求項３７乃至４６のいずれか１項に記載の端末装置。
【請求項４８】
前記端末装置がスケジューリングなしでのアップリンクデータの伝送に適用されることを特徴とする
請求項３７乃至４７のいずれか１項に記載の端末装置。
【発明の詳細な説明】
【技術分野】
【０００１】
本発明は無線通信技術分野に関し、且つ、より具体的に、アップリンクデータ伝送方法、ネットワーク側装置及び端末装置に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ネットワーク側装置のスケジューリング情報が受信されていなければ、端末装置がネットワーク側装置にアップリンクデータを伝送できない。このようなアップリンクデータ伝送方式は制御シグナリングオーバーヘッドが大きく、エンドツーエンド遅延も大きい。アップリンクデータの伝送を効率的に行うために、より優れたアップリンクデータ伝送方法を必要とする。
【発明の概要】
【発明が解決しようとする課題】
【０００３】
本発明は端末装置がネットワーク側装置のアップリンクデータを受信したかどうかを確定することができるアップリンクデータ伝送方法、ネットワーク側装置及び端末装置を提供する。
【課題を解決するための手段】
【０００４】
第１態様に係るアップリンクデータ伝送方法であって、ネットワーク側装置が端末装置から送信されるアップリンクデータを受信することと、前記アップリンクデータを正しく受信した場合、前記ネットワーク側装置は第１時間周波数リソースにおいて前記ネットワーク側装置が前記アップリンクデータを正しく受信したことを示すための第１シーケンスを前記端末装置に送信することと、を含む。
【０００５】
アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【０００６】
アップリンクデータを正しく受信したこととは、ネットワーク側装置が端末装置から送信されるアップリンクデータを受信して、正しくデコードしたことを意味する。
【０００７】
第１態様を参照して、第１態様のいくつかの実現方式では、前記方法は、更に、前記ネットワーク側装置が前記端末装置の専用パラメータに基づいて前記第１時間周波数リソースの占有されている時間領域位置及び／又は周波数領域位置を確定することを含む。
【０００８】
上記専用パラメータが端末装置の装置ＩＤであってもよく、ネットワーク側装置は専用パラメータに基づいて第１時間周波数リソースが占有されている時間領域位置及び／又は周波数領域位置を柔軟に確定することができ、それにより時間周波数リソースを合理的に利用することができる。
【０００９】
第１態様を参照して、第１態様のいくつかの実現方式では、前記方法は、更に、前記ネットワーク側装置が前記第１時間周波数リソースの占有されている時間領域位置及び／又は周波数領域位置を示すための第１指示情報を前記端末装置に送信することを含む。
【００１０】
第１指示情報で第１時間周波数リソースが占有されている時間領域位置及び／又は周波数領域位置を示すことで、端末装置は第１時間領域リソースが占有されている時間領域位置及び／又は周波数領域位置で第１シーケンスを受信することができる。
【００１１】
第１態様を参照して、第１態様のいくつかの実現方式では、前記方法は、更に、前記ネットワーク側装置が前記第１シーケンスの長さを確定することと、前記ネットワーク側装置が前記第１シーケンスの長さを示すための第２指示情報を前記端末に送信することと、を含む。
【００１２】
端末装置に第２指示情報を送信することにより、端末装置は第１シーケンスの長さに基づいて第１時間周波数リソースにおいて第１シーケンスを検出することができる。
【００１３】
第１態様を参照して、第１態様のいくつかの実現方式では、前記方法は、更に、前記ネットワーク側装置が前記端末装置の専用パラメータに基づいて前記第１シーケンスを生成することを含む。
【００１４】
第１態様を参照して、第１態様のいくつかの実現方式では、前記ネットワーク側装置が第２時間周波数リソースにおいて前記アップリンクデータを受信し、前記第２時間周波数リソースが時間ユニットＮを占有し、前記第１時間周波数リソースが時間ユニットＮ＋Ｋを占有し、ＮとＫがいずれも非負整数である。
【００１５】
第１態様を参照して、第１態様のいくつかの実現方式では、前記第１時間周波数リソースが少なくとも１つの物理リソースブロック（ＰＲＢ）におけるすべての利用可能なリソース要素（ＲＥ）である。
【００１６】
第１態様を参照して、第１態様のいくつかの実現方式では、前記第１時間周波数リソースが少なくとも１つのＰＲＢの時間シンボルの一部におけるすべての利用可能なＲＥである。
【００１７】
第１態様を参照して、第１態様のいくつかの実現方式では、前記第１時間周波数リソースが少なくとも１つの時間シンボルにおける利用可能なＲＥである。
【００１８】
第１態様を参照して、第１態様のいくつかの実現方式では、前記第１シーケンスが直交シーケンス又はＺＣシーケンスである。
【００１９】
第１態様を参照して、第１態様のいくつかの実現方式では、前記方法は、更に、前記アップリンクデータを正しく受信していない場合、前記ネットワーク側装置が前記第１時間周波数リソースにおいて前記ネットワーク側装置が前記アップリンクデータを正しく受信していないことを示すための第２シーケンスを前記端末装置に送信することを含む。
【００２０】
アップリンクデータを正しく受信していないこととは、ネットワーク側装置がネットワーク装置から送信されるアップリンクデータを受信したが、デコードに失敗したことを意味する。
【００２１】
第１態様を参照して、第１態様のいくつかの実現方式では、前記方法がスケジューリングなしでのアップリンクデータの伝送に適用される。
【００２２】
スケジューリングなしでのアップリンクデータ伝送方法を用いるとき、遅延を短縮し、端末装置の消費電力を減少させることができる。
【００２３】
第２態様に係るアップリンクデータ伝送方法であって、端末装置がネットワーク側装置にアップリンクデータを送信することと、前記端末装置は第１時間周波数リソースにおいて前記ネットワーク側装置から送信される、前記ネットワーク側装置が前記アップリンクデータを正しく受信したことを示すための第１シーケンスを検出することと、を含む。
【００２４】
アップリンクデータを正しく受信した場合、端末装置は該第１シーケンスを検出することでネットワーク側装置がアップリンクデータを受信したかどうかを検出するように、ネットワーク側装置が端末装置に第１シーケンスを送信し、それにより端末装置とネットワーク側装置とがデータ伝送を正常に行えるように確保する。
【００２５】
第２態様を参照して、第２態様のいくつかの実現方式では、前記端末装置は前記端末装置の専用パラメータに基づいて前記第１時間周波数リソースが占有されている時間領域位置及び／又は周波数領域位置を確定する。
【００２６】
第２態様を参照して、第２態様のいくつかの実現方式では、前記方法は、更に、前記端末装置が前記ネットワーク側装置から送信される、前記第１時間周波数リソースの時間領域位置及び／又は周波数領域位置を示すための第１指示情報を受信することと、前記端末装置が前記第１指示情報に基づいて前記第１時間周波数リソースを確定することと、を含む。
【００２７】
第２態様を参照して、第２態様のいくつかの実現方式では、前記方法は、更に、前記端末装置が前記ネットワーク側装置から送信される、前記第１シーケンスの長さを示すための第２指示情報を受信することと、前記端末装置が前記第２指示情報に基づいて前記第１シーケンスの長さを確定することと、を含む。
【００２８】
第２態様を参照して、第２態様のいくつかの実現方式では、前記方法は、更に、前記端末装置が前記端末装置の専用パラメータに基づいて前記第１シーケンスを確定することを含む。
【００２９】
第２態様を参照して、第２態様のいくつかの実現方式では、前記端末装置が第２時間周波数リソースにおいて前記アップリンクデータを送信し、前記第２時間周波数リソースが時間ユニットＮを占有し、前記第１時間周波数リソースが時間ユニットＮ＋Ｋを占有し、ＮとＫがいずれも非負整数である。
【００３０】
第２態様を参照して、第２態様のいくつかの実現方式では、前記第１時間周波数リソースが少なくとも１つの物理リソースブロック（ＰＲＢ）におけるすべての利用可能なリソース要素（ＲＥ）である。
【００３１】
第２態様を参照して、第２態様のいくつかの実現方式では、前記第１時間周波数リソースが少なくとも１つのＰＲＢの時間シンボルの一部におけるすべての利用可能なＲＥである。
【００３２】
第２態様を参照して、第２態様のいくつかの実現方式では、前記第１時間周波数リソースが少なくとも１つの時間シンボルにおける利用可能なＲＥである。
【００３３】
第２態様を参照して、第２態様のいくつかの実現方式では、前記第１シーケンスが直交シーケンス又はＺＣシーケンスである。
【００３４】
第２態様を参照して、第２態様のいくつかの実現方式では、前記方法は、更に、前記端末装置が第１時間周波数リソースにおいて前記ネットワーク側装置から送信される、前記ネットワーク側装置が前記アップリンクデータを正しく受信していないことを示すための第２シーケンスを検出することを含む。
【００３５】
第２態様を参照して、第２態様のいくつかの実現方式では、前記方法がスケジューリングなしでのアップリンクデータの伝送に適用される。
【００３６】
第３態様に係るネットワーク側装置であって、前記第１態様における方法を実行するためのモジュールを含む。
【００３７】
第４態様に係る端末装置であって、前記第２態様における方法を実行するためのモジュールを含む。
【００３８】
第５態様に係るネットワーク側装置であって、メモリ、送受信機及びプロセッサを備え、前記メモリはプログラムを記憶することに用いられ、前記プロセッサはプログラムを実行することに用いられ、前記プログラムが実行されるとき、前記プロセッサは前記送受信機を呼び出して前記第１態様における方法を実行することに用いられる。
【００３９】
第６態様に係る端末モジュールであって、メモリ、送受信機及びプロセッサを備え、前記メモリはプログラムを記憶することに用いられ、前記プロセッサはプログラムを実行することに用いられ、前記プログラムが実行されるとき、前記プロセッサは前記送受信機を呼び出して前記第２態様における方法を実行することに用いられる。
【００４０】
第７態様に係るコンピュータ可読媒体であって、装置が実行するためのプログラムコードが記憶され、前記プログラムコードは第１態様における方法を実行するための命令を含む。
【００４１】
第８態様に係るコンピュータ可読媒体であって、装置が実行するためのプログラムコードが記憶され、前記プログラムコードは第２態様における方法を実行するための命令を含む。
【００４２】
第９態様に係るシステムチップであって、入力インターフェース、出力インターフェース、プロセッサ及びメモリを備え、該プロセッサは該メモリにおけるコードを実行することに用いられ、該コードが実行されるとき、該プロセッサは上記第１態様及び様々な実現方式におけるデータ伝送方法におけるネットワーク側装置で実行する各過程を実現することができる。
【００４３】
第１０態様に係るシステムチップであって、入力インターフェース、出力インターフェース、プロセッサ及びメモリを備え、該プロセッサは該メモリにおけるコードを実行することに用いられ、該コードが実行されるとき、該プロセッサは上記第２態様及び様々な実現方式におけるデータ伝送方法における端末装置で実行する各過程を実現することができる。
【図面の簡単な説明】
【００４４】
【図１】本発明の実施例のアップリンクデータ伝送方法の模式的なフローチャートである。
【図２】本発明の実施例の第１時間周波数リソースが占有されている利用可能なＲＥの模式図である。
【図３】本発明の実施例の第１時間周波数リソースが占有されている利用可能なＲＥの模式図である。
【図４】本発明の実施例の第１時間周波数リソースが占有されている利用可能なＲＥの模式図である。
【図５】本発明の実施例のアップリンクデータ伝送方法の模式的なフローチャートである。
【図６】本発明の実施例のネットワーク側装置の模式的なブロック図である。
【図７】本発明の実施例の端末装置の模式的なブロック図である。
【図８】本発明の実施例のネットワーク側装置の模式的なブロック図である。
【図９】本発明の実施例の端末装置の模式的なブロック図である。
【図１０】本発明の実施例のシステムチップの構造模式図である。
【図１１】本発明の実施例のシステムチップの構造模式図である。
【発明を実施するための形態】
【００４５】
本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等の従来の通信システムに適用されてもよく、特に将来の第５世代移動通信（５Ｇ）システムに適用されてもよいと理解すべきである。
【００４６】
本発明の実施例におけるネットワーク側装置は端末装置と通信するための装置であってもよく、該ネットワーク側装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は、該ネットワーク側装置は中継所、アクセスポイント、車載装置、ウェアラブルデバイス及び将来５Ｇネットワークにおけるネットワーク側装置又は将来発展するＰＬＭＮネットワークにおけるネットワーク側装置等であってもよく、本発明の実施例は制限しない。
【００４７】
本発明の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本発明の実施例は制限しない。
【００４８】
従来のＬＴＥシステムにおいて、端末装置がネットワーク側装置にデータを送信する前に、ネットワーク側装置のスケジューリング命令を受信していなければ、ネットワーク側装置にデータを送信できず、ネットワーク側装置がデータを受信して、端末装置にＡＣＫ情報又はＮＡＣＫ情報をフィードバックし、ＡＣＫ情報はネットワーク側装置がデータを受信して正しくデコードしたことを示し、ＮＡＣＫ情報はネットワーク側装置がデータを受信したが正しくデコードできないことを示し、このように、端末装置はネットワーク側装置からフィードバックしたＡＣＫ情報又はＮＡＣＫ情報によってネットワーク側装置がデータを受信したかどうかを確定することができる。
【００４９】
アップリンクデータの伝送柔軟性を向上させるために、スケジューリングなしでのアップリンクデータ伝送モードを導入し、このような伝送モードにおいて、端末装置は基地局のスケジューリングを待たずにアップリンクデータを自動的に送信することができ、このようなスケジューリングなしでのアップリンク伝送は、制御シグナリングオーバーヘッドを減少させ、エンドツーエンド遅延を短縮し、更に端末の消費電力を減少させることができ、低周波数の小さなパケットのサービスの伝送及び低遅延要求のサービスに適用する。
【００５０】
しかしながら、このような伝送方式には、端末装置はネットワーク側装置が端末装置から送信されるアップリンクデータを正しく受信したかどうかをどのように確定するかという問題がある。従って、本発明の実施例はアップリンクデータ伝送方法を提供し、該方法において、ネットワーク側装置が端末装置から送信されるアップリンクデータを正しく受信したとき、端末装置に第１シーケンスをフィードバックし、このように、端末装置が第１シーケンスを検出すると、ネットワーク側装置が端末装置から送信されるアップリンクデータを正しく受信したと確定する。ネットワーク側装置が端末装置から送信されるアップリンクデータを正しく受信していないとき、ネットワーク側装置が端末装置に第１シーケンスを送信せず、このとき、端末装置が第１シーケンスを検出できず、端末装置はネットワーク側装置が端末装置から送信されるアップリンクデータを正しく受信していないことを確定する。
【００５１】
図１は本発明の実施例のアップリンクデータ伝送方法の模式的なフローチャートである。図１に示す方法は以下を含む。
【００５２】
ステップ１１０において、ネットワーク側装置が端末装置から送信されるアップリンクデータを受信する。
【００５３】
本発明の実施例におけるアップリンクデータは端末装置がネットワーク側装置に送信するデータを指すと理解すべきである。なお、端末装置がネットワーク側装置にアップリンクデータを送信するとき、ネットワーク側装置のスケジューリングを行わずに、ネットワーク側装置にアップリンクデータを直接送信してもよい。
【００５４】
ステップ１２０において、アップリンクデータを正しく受信した場合、ネットワーク側装置が第１時間周波数リソースにおいてネットワーク側装置のアップリンクデータを正しく受信したことを示すための第１シーケンスを端末装置に送信する。
【００５５】
アップリンクデータを正しく受信したこととは、ネットワーク側装置が端末装置から送信されるアップリンクデータを受信して正しくデコードしたことを意味すると理解すべきである。ネットワーク側装置がアップリンクデータを正しく受信していないとき、ネットワーク側装置が端末装置に上記第１シーケンスを送信しない。それに対応して、端末装置に対して、第１シーケンス（プリセット時間内であってもよい）を検出すれば、ネットワーク側装置がアップリンクデータを受信したと確定し、第１シーケンス（プリセット時間内であってもよい）を検出していなければ、ネットワーク側装置がアップリンクデータを受信していないと確定する。
【００５６】
また、上記第１シーケンスは直交シーケンス、低相関シーケンス又は他のシーケンスであってもよい。好ましくは、第１シーケンスはＺＣ（Ｚａｄｏｆｆ  Ｃｈｕ）シーケンスであり、ＺＣシーケンスはＺａｄｏｆｆとＣｈｕの２人が提案したシーケンスであって、振幅が一定で、ゼロ自己相関シーケンスである。
【００５７】
本発明の実施例において、アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【００５８】
好ましくは、上記第１時間周波数リソースが占有されているリソース要素は、
第１時間周波数リソースが少なくとも１つの物理リソースブロック（ＰＲＢ：Ｐｈｙｓｉｃａｌ  Ｒｅｓｏｕｒｃｅ  Ｂｌｏｃｋ）におけるすべての利用可能なリソース要素（ＲＥ：Ｒｅｓｏｕｒｃｅ  Ｅｌｅｍｅｎｔ）を占有する第１状況、
第１時間周波数リソースが少なくとも１つのＰＲＢの時間シンボルの一部におけるすべての利用可能なＲＥを占有する第２状況、及び
第１時間周波数リソースが少なくとも１つの時間シンボルにおける利用可能なＲＥを占有する第３状況、とされてもよい。
【００５９】
第１状況に対して、第１時間周波数リソースが占有されているのは少なくとも１つのＰＲＢにおけるすべての時間シンボルにおけるすべての利用可能なＲＥであってもよいが、第２状況において、第１時間周波数リソースが少なくとも１つのＰＲＢにおける時間シンボルの一部におけるすべての利用可能なＲＥのみを占有するが、第３状況において、占有されているＲＥが同一ＰＲＢに属するかどうかを考慮せず、時間シンボルの一部における利用可能なＲＥを直接占有する。第１時間周波数リソースが占有されているＲＥを柔軟に割り当ててもよく、より多くの時間シンボルを占有してもよく、１つのみの時間シンボルを占有してもよいが、占有されている周波数範囲がより広い。第１時間周波数リソースを柔軟に設定することにより、時間周波数リソースを合理的に利用し、端末装置とネットワーク側装置とがデータを柔軟に伝送するように確保することができる。
【００６０】
上記利用可能なＲＥはＰＲＢにおける他の信号又はチャネルに占有されていないＲＥであってもよく、他の信号又はチャネルのために予備したＲＥであってもよい。ここで、他の信号又はチャネルは優先順位のより高い信号又はチャネル、例えば、パケット交換サービス（ＰＳＳ：Ｐａｃｋｅｔ  Ｓｗｉｔｃｈｉｎｇ  Ｓｅｒｖｉｃｅ）情報、加入者サービスシステム（ＳＳＳ：Ｓｕｂｓｃｒｉｂｅｒ  Ｓｅｒｖｉｃｅ  Ｓｙｓｔｅｍ）情報、物理報知チャネル（ＰＢＣＨ：Ｐｈｙｓｉｃａｌ  Ｂｒｏａｄｃａｓｔ  Ｃｈａｎｎｅｌ）等であってもよい。
【００６１】
以下、図２〜図４を参照しながら上記３つの状況を詳しく説明する。
【００６２】
図２において、大きな矩形枠が１つのＰＲＢを示し、該ＰＲＢに８４個のＲＥが含まれ、灰色領域におけるＲＥが既に他の信号又はチャネルに割り当てたＲＥを示し、利用不可能なＲＥに属し、この部分のＲＥを除き、残りのＲＥがいずれも利用可能なＲＥである。第１時間周波数リソースが該ＰＲＢにおけるすべての利用可能なＲＥを占有した。
【００６３】
図３において、大きな矩形枠が１つのＰＲＢを示し、該ＰＲＢの前の３つの時間シンボルに合計して３６個のＲＥが含まれ、利用不可能なＲＥの数が１５個であり、利用可能なＲＥの数が２１個である。第１時間周波数リソースが前の３つの時間シンボルにおけるすべての利用可能なＲＥを占有した。
【００６４】
図４において、２つの大きな矩形枠が２つのＰＲＢを示し、下部が第１ＰＲＢであり、上部が第２ＰＲＢであり、第１時間周波数リソースが第１ＰＲＢ及び第２ＰＲＢにおける利用可能なＲＥの一部を占有し、且つ第１時間周波数リソースの占有されているスタートＲＥが第１ＰＲＢの４番目の時間ユニットにおける１番目のＲＥではない。
【００６５】
要するに、第１時間周波数リソースの占有されているスタートＲＥがＰＲＢにおける１番目のＲＥであってもよく、ＰＲＢにおける中間のあるＲＥであってもよい。
【００６６】
好ましくは、一実施例として、本発明の実施例の方法は、更に、ネットワーク側装置が端末装置の専用パラメータに基づいて第１時間周波数リソースの占有されている時間領域位置及び／又は周波数領域位置を確定することを含む。
【００６７】
ここで、端末装置の専用パラメータが端末装置のＩＤを指してもよい。
【００６８】
すなわち、ネットワーク側装置が端末装置に第１シーケンスを送信する前に、まず第１時間周波数リソースを確定する。第１リソースの確定方式は多くあり、その１つとしてネットワーク側装置によって設定し、そのもう１つとしてプロトコルによって約束し、例えば、端末装置の専用パラメータに基づいて確定する。
【００６９】
具体的に、ネットワーク側装置が第１時間周波数リソースを確定するとき、第１時間周波数の占有されている時間領域位置のみを確定してもよく、第１時間周波数リソースの占有されている周波数領域位置のみを確定してもよく、又は、ネットワーク側装置が第１時間周波数リソースの占有されている時間領域位置及び周波数領域位置を同時に確定してもよい。
【００７０】
例えば、ネットワーク側装置がプロトコルに基づいて第１リソースを確定するとき、具体的に、第１時間周波数リソースの占有されている周波数領域位置を確定することと、第１時間周波数リソースの占有されている周波数領域位置を確定することと、第１時間周波数リソースの占有されている時間領域位置及び周波数領域位置を確定することと、を含む。
【００７１】
ネットワーク側装置が第１時間周波数リソースの占有されている時間領域位置及び／又は周波数領域位置を確定したとき、第１シーケンスを第１時間周波数リソースの占有されている時間領域位置及び／又は周波数領域位置で設定するように、上位レイヤシグナリング又はダウンリンク制御シグナリングを用いて第１時間周波数リソースの占有されている時間領域位置及び／又は周波数領域位置を設定することができる。
【００７２】
好ましくは、一実施例として、本発明の実施例の方法は、更に、ネットワーク側装置が第１時間周波数リソースの占有されている時間領域位置及び／又は周波数領域位置を示すための第１指示情報を端末装置に送信することを含む。
【００７３】
第１時間周波数リソースがネットワーク側装置によって確定されるとき、ネットワーク側装置は第１時間周波数リソースを確定した後、第１時間周波数リソースの占有されている時間領域位置及び／又は周波数領域位置を第１指示情報によって端末装置に通知することができると理解すべきである。
【００７４】
具体的に、ネットワーク側装置が第１時間周波数リソースの占有されている周波数領域位置を確定するとき、第１指示情報によって第１時間周波数リソースの占有されている周波数領域位置を通知し、ネットワーク側装置が第１時間周波数リソースの占有されている時間領域位置を確定したとき、第１指示情報によって第１時間周波数リソースの占有されている時間領域位置を通知するが、ネットワーク側装置が第１時間周波数リソースの占有されている時間領域位置及び周波数領域位置を確定するとき、第１指示情報によって第１時間周波数リソースの占有されている時間領域位置及び周波数領域位置を通知する。
【００７５】
好ましくは、本発明の実施例の方法は、更に、ネットワーク側装置が第１シーケンスの長さを確定し、ネットワーク側装置が第１シーケンスの長さを示すための第２指示情報を端末装置に送信する。
【００７６】
第１シーケンスの長さは様々であってもよく、例えば、システムが１６ビット及び３２ビット長さの２つの直交シーケンスをサポートする場合、端末装置が第１シーケンスの長さを容易に検出できるように、ネットワーク側装置がその中から１つの長さを第１シーケンスの長さとして選択して、端末装置に通知してもよい。
【００７７】
第１シーケンスの長さがデフォルトの長さである場合、ネットワーク側装置は第１シーケンスの長さを確定する必要もなく、端末装置に第２指示情報を送信することで端末装置に第１シーケンスの長さを通知する必要もなく、この時、端末装置が第１シーケンスのデフォルトの長さに応じて第１時間周波数リソースにおいて第１シーケンスを直接検出する。
【００７８】
好ましくは、一実施例として、本発明の実施例の方法は、更に、ネットワーク側装置が端末装置の専用パラメータに基づいて第１シーケンスを生成することを含む。
【００７９】
上記専用パラメータは端末装置のＩＤであってもよく、第１シーケンスを生成するとき、端末装置は様々な装置ＩＤに基づいて様々なシーケンスを生成して、対応する端末装置に送信してもよい。
【００８０】
好ましくは、一実施例として、ネットワーク側装置が第２時間周波数リソースにおいてアップリンクデータを受信し、第２時間周波数リソースが時間ユニットＮを占有し、第１時間周波数リソースが時間ユニットＮ＋Ｋを占有し、ＮとＫがいずれも非負整数である。
【００８１】
ネットワーク側装置が第１シーケンスを送信する物理リソースの占有されている時間ユニットと、端末装置がアップリンクデータを送信する物理リソースの占有されている時間ユニットとに一定の関係がある。このような関係は端末装置とネットワーク側装置又はプロトコルが予め約束したものであってもよく、このように、端末装置はアップリンクデータを送信すると、どの時間ユニットにおいて第１シーケンスを検出するかを確定することができる。また、上記Ｋの値は通信プロトコルによって約束してもよく、ネットワーク側装置によって直接設定してもよい。
【００８２】
好ましくは、一実施例として、アップリンクデータを正しく受信していない場合、ネットワーク側装置が第１時間周波数リソースにおいてネットワーク側装置が前記アップリンクデータを正しく受信していないことを示すための第２シーケンスを端末装置に送信する。
【００８３】
アップリンクデータを正しく受信していないこととは、ネットワーク側装置がネットワーク装置から送信されるアップリンクデータを受信したが、デコードに失敗したことを意味すると理解すべきである。上記第２シーケンスは直交シーケンス、低相関シーケンス又は他のシーケンスであってもよく、好ましくは、ＺＣシーケンスであってもよい。且つ、第２シーケンスは第１シーケンスと異なるシーケンスであってもよい。なお、ネットワーク側装置は端末装置の専用パラメータに基づいて第２シーケンスを生成してもよく、且つ、端末装置は第２シーケンスの長さに基づいて第２シーケンスを検出することができるように、ネットワーク側装置は第２シーケンスの長さを確定して、第２シーケンスの長さを指示情報によって端末装置に通知してもよい。
【００８４】
本発明の実施例において、端末装置は第１シーケンスを検出するだけでネットワーク側装置が端末装置から送信されるアップリンクデータを正しく受信したかどうかを確定してもよく、第１シーケンスを検出すれば、端末装置はネットワーク側装置がアップリンクデータを正しく受信したと確定し、第１シーケンスを検出していなければ、端末装置はネットワーク装置がアップリンクデータを正しく受信していないことを確定すると理解すべきである。
【００８５】
なお、ネットワーク側装置は端末装置に第１シーケンス又は第２シーケンスを送信することで、ネットワーク側装置がアップリンクデータを正しく受信したことを示し、又はアップリンクデータを正しく受信していないことを示すことができる。端末装置は第１シーケンスを検出すれば、ネットワーク側装置が端末装置から送信されるアップリンクデータを正しく受信したと確定し、端末装置は第２シーケンスを検出すれば、ネットワーク装置が端末装置から送信されるアップリンクデータを正しく受信していないことを確定する。
【００８６】
好ましくは、本発明の実施例の方法がスケジューリングなしでのアップリンクデータの伝送に適用されてもよい。
【００８７】
以上は図１を参照しながらネットワーク側装置の角度から本発明の実施例のアップリンクデータ伝送方法を詳しく説明したが、以下に図５を参照しながら端末装置の角度から本発明の実施例のアップリンクデータ伝送方法を詳しく説明し、端末装置側が実行するステップはネットワーク側装置が実行するステップに対応し、簡潔にするために、以下に繰り返し説明は適宜省略すると理解すべきである。
【００８８】
図５は本発明の実施例のアップリンクデータ伝送方法の模式的なフローチャートである。図５に示す方法は、
端末装置がネットワーク側装置にアップリンクデータを送信するステップ２１０と、
前記端末装置が第１時間周波数リソースにおいて前記ネットワーク側装置から送信される、前記ネットワーク側装置の前記アップリンクデータを正しく受信したことを示すための第１シーケンスを検出するステップ２２０と、を含む。
【００８９】
上記第１シーケンスが直交シーケンス、低相関シーケンス等であってもよく、好ましくは、上記第１シーケンスがＺＣシーケンスであってもよい。
【００９０】
ネットワーク側装置がアップリンクデータを正しく受信したこととは、ネットワーク側装置がアップリンクデータを受信して正しくデコードしたことを意味し、ネットワーク側装置がアップリンクデータを正しく受信していないこととは、ネットワーク側装置がアップリンクデータを受信したが、正しくデコードできないことを意味すると理解すべきである。
【００９１】
本発明の実施例において、アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【００９２】
好ましくは、上記第１時間周波数リソースが少なくとも１つの物理リソースブロックのすべての時間ユニットにおける利用可能なＲＥを占有し、少なくとも１つの物理リソースブロックの時間ユニットの一部における利用可能なＲＥを占有してもよく、少なくとも１つの時間シンボルにおける利用可能なＲＥを占有してもよい。
【００９３】
ここで、利用可能なＲＥはＰＲＢにおける他の信号又はチャネルに占有されていないＲＥを指し、他の信号又はチャネルに予備したＲＥ以外の残りのＲＥであってもよい。
【００９４】
ここで、他の信号又はチャネルは優先順位のより高い信号又はチャネル、例えば、ＰＳＳ情報、ＳＳＳ情報、ＰＢＣＨチャネル等であってもよい。
【００９５】
好ましくは、一実施例として、端末装置が第２時間周波数リソースにおいてネットワーク側装置にアップリンクデータを送信し、第２時間周波数リソースが時間ユニットＮを占有し、第１時間周波数リソースが時間ユニットＮ＋Ｋを占有し、ＮとＫがいずれも非負整数である。
【００９６】
第１時間周波数リソースの占有されている時間ユニットと、第２時間周波数リソースの占有されている時間ユニットとに一定の関係があり、このような関係は端末装置とネットワーク側装置又はプロトコルとが予め約束したものであってもよく、このように、端末装置はアップリンクデータを送信すると、どの時間ユニットにおいて第１シーケンスを検出するかを確定することができると理解すべきである。また、上記Ｋの値は通信プロトコルによって約束してもよく、ネットワーク側装置によって直接設定してもよい。
【００９７】
好ましくは、一実施例として、アップリンクデータを正しく受信していない場合、ネットワーク側装置が第１時間周波数リソースにおいてネットワーク側装置がアップリンクデータを正しく受信していないことを示すための第２シーケンスを端末装置に送信する。
【００９８】
好ましくは、本発明の実施例の方法がスケジューリングなしでのアップリンクデータの伝送に適用されてもよい。スケジューリングなしでのアップリンクデータの伝送とは、端末装置がデータを伝送する必要があるとき、基地局のスケジューリングを待たずにアップリンクデータを自動的に送信することを意味する。このような伝送方式は、システム内の制御シグナリングオーバーヘッドの減少、エンドツーエンド遅延の短縮、端末の消費電力の減少に役立ち、特に低周波数の小さなパケットのサービス、低遅延要求等のサービスに適用される。
【００９９】
以上は図１〜図５を参照しながら本発明の実施例のデータ伝送方法を詳しく説明したが、以下に図６〜図９を参照しながら本発明の実施例のネットワーク側装置及び端末装置を詳しく説明する。図６〜図９におけるネットワーク側装置及び端末装置は以上の送信側及び受信側が実行する各ステップを実行することができ、重複を避けるため、ここで詳細な説明は省略すると理解すべきである。
【０１００】
図６は本発明の実施例のネットワーク側装置の模式的なブロック図である。図６に示すネットワーク側装置３００は、
前記端末装置から送信されるアップリンクデータを受信するための受信モジュール３１０と、
前記受信モジュールが前記アップリンクデータを正しく受信した場合、前記ネットワーク側装置が前記アップリンクデータを正しく受信したことを示すための第１シーケンスを前記端末装置に送信するための送信モジュール３２０と、を含む。
【０１０１】
本発明の実施例において、アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【０１０２】
好ましくは、一実施例として、前記ネットワーク側装置３００は、更に、前記端末装置の専用パラメータに基づいて前記第１時間周波数リソースが占有されている時間領域位置及び／又は周波数領域位置を確定するための第１確定モジュール３３０を含む。
【０１０３】
好ましくは、一実施例として、前記送信モジュール３２０は、更に、前記第１時間周波数リソースが占有されている時間領域位置及び／又は周波数領域位置を示すための第１指示情報を前記端末装置に送信することに用いられる。
【０１０４】
好ましくは、一実施例として、前記ネットワーク側装置は、更に、前記第１シーケンスの長さを確定するための第２確定モジュール３４０を含み、前記送信モジュール３２０は前記第１シーケンスの長さを示すための第２指示情報を前記端末に送信することに用いられる。
【０１０５】
好ましくは、一実施例として、前記ネットワーク側装置は、更に、前記端末装置の専用パラメータに基づいて前記第１シーケンスを生成するための生成モジュール３５０を含む。
【０１０６】
好ましくは、一実施例として、前記受信モジュール３１０は具体的に第２時間周波数リソースにおいて前記アップリンクデータを受信することに用いられ、前記第２時間周波数リソースが時間ユニットＮを占有し、前記第１時間周波数リソースが時間ユニットＮ＋Ｋを占有し、ＮとＫがいずれも非負整数である。
【０１０７】
好ましくは、一実施例として、前記受信モジュールが第２時間周波数リソースにおいて前記アップリンクデータを受信し、前記第２時間周波数リソースが時間ユニットＮを占有し、前記第１時間周波数リソースが時間ユニットＮ＋Ｋを占有し、ＮとＫがいずれも非負整数である。
【０１０８】
好ましくは、一実施例として、前記第１時間周波数リソースが少なくとも１つの物理リソースブロック（ＰＲＢ）におけるすべての利用可能なリソース要素（ＲＥ）である。
【０１０９】
好ましくは、一実施例として、前記第１時間周波数リソースが少なくとも１つのＰＲＢの時間シンボルの一部におけるすべての利用可能なＲＥである。
【０１１０】
好ましくは、一実施例として、前記第１時間周波数リソースが少なくとも１つの時間シンボルにおける利用可能なＲＥである。
【０１１１】
好ましくは、一実施例として、前記第１シーケンスが直交シーケンス又はＺＣシーケンスである。
【０１１２】
好ましくは、一実施例として、前記送信モジュールは、更に、前記アップリンクデータを正しく受信していない場合、前記第１時間周波数リソースにおいて前記ネットワーク側装置が前記アップリンクデータを正しく受信していないことを示すための第２シーケンスを前記端末装置に送信することに用いられる。
【０１１３】
好ましくは、一実施例として、前記ネットワーク側装置がスケジューリングなしでのアップリンクデータの伝送に適用される。
【０１１４】
図７は本発明の実施例の端末装置の模式的なブロック図である。図７に示す端末装置４００は、
ネットワーク側装置にアップリンクデータを送信するための通信モジュール４１０と、
第１時間周波数リソースにおいて前記ネットワーク側装置から送信される、前記ネットワーク側装置が前記アップリンクデータを正しく受信したことを示すための第１シーケンスを検出するための処理モジュール４２０と、を含む。
【０１１５】
本発明の実施例において、アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【０１１６】
好ましくは、一実施例として、前記処理モジュール４２０は、更に、前記端末装置の専用パラメータに基づいて前記第１時間周波数リソースが占有されている時間領域位置及び／又は周波数領域位置を確定することに用いられる。
【０１１７】
好ましくは、一実施例として、前記通信モジュール４１０は、更に、前記ネットワーク側装置から送信される、前記第１時間周波数リソースの時間領域位置及び／又は周波数領域位置を示すための第１指示情報を受信することに用いられ、前記処理モジュール４２０は前記第１指示情報に基づいて前記第１時間周波数リソースを確定することに用いられる。
【０１１８】
好ましくは、一実施例として、前記通信モジュール４１０は、更に、前記ネットワーク側装置から送信される、前記第１シーケンスの長さを示すための第２指示情報を受信することに用いられ、前記処理モジュール４２０は、更に、前記第２指示情報に基づいて前記第１シーケンスの長さを確定することに用いられる。
【０１１９】
好ましくは、一実施例として、前記処理モジュール４２０は、更に、前記端末装置の専用パラメータに基づいて前記第１シーケンスを確定することに用いられる。
【０１２０】
好ましくは、一実施例として、前記通信モジュール４１０は第２時間周波数リソースにおいて前記アップリンクデータを送信することに用いられ、前記第２時間周波数リソースが時間ユニットＮを占有し、前記第１時間周波数リソースが時間ユニットＮ＋Ｋを占有し、ＮとＫがいずれも非負整数である。
【０１２１】
好ましくは、一実施例として、前記第１時間周波数リソースが少なくとも１つの物理リソースブロック（ＰＲＢ）におけるすべての利用可能なリソース要素（ＲＥ）である。
【０１２２】
好ましくは、一実施例として、前記第１時間周波数リソースが少なくとも１つのＰＲＢの時間シンボルの一部におけるすべての利用可能なＲＥである。
【０１２３】
好ましくは、一実施例として、前記第１時間周波数リソースが少なくとも１つの時間シンボルにおける利用可能なＲＥである。
【０１２４】
好ましくは、一実施例として、前記第１シーケンスが直交シーケンス又はＺＣシーケンスである。
【０１２５】
好ましくは、一実施例として、前記通信モジュール４１０は、更に、第１時間周波数リソースにおいて前記ネットワーク側装置から送信される、前記ネットワーク側装置が前記アップリンクデータを正しく受信していないことを示すための第２シーケンスを検出することに用いられる。
【０１２６】
好ましくは、一実施例として、前記端末装置がスケジューリングなしでのアップリンクデータの伝送に適用される。
【０１２７】
図８は本発明の実施例のネットワーク側装置の模式的なブロック図である。図８に示すネットワーク側装置５００は、
プログラムを記憶するためのメモリ５１０と、
プロセッサ５２０と、
送受信機５３０と、を備える。
【０１２８】
前記プロセッサ５２０は前記メモリ５１０に記憶されるプログラムを実行することに用いられ、前記プログラムが実行されるとき、前記プロセッサ５２０は前記送受信機５３０をスケジューリングして端末装置から送信されるアップリンクデータを受信することに用いられ、前記プロセッサ５２０は、更に、前記送受信機５３０をスケジューリングし、前記送受信機５３０が前記アップリンクデータを正しく受信した場合、前記ネットワーク側装置が前記アップリンクデータを正しく受信したことを示すための第１シーケンスを前記端末装置に送信することに用いられる。
【０１２９】
本発明の実施例において、アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【０１３０】
好ましくは、一実施例として、前記プロセッサ５２０は、更に、前記端末装置の専用パラメータに基づいて前記第１時間周波数リソースが占有されている時間領域位置及び／又は周波数領域位置を確定することに用いられる。
【０１３１】
好ましくは、一実施例として、前記送受信機５３０は、更に、前記第１時間周波数リソースが占有されている時間領域位置及び／又は周波数領域位置を示すための第１指示情報を前記端末装置に送信することに用いられる。
【０１３２】
好ましくは、一実施例として、前記プロセッサ５２０は、更に、前記第１シーケンスの長さを確定することに用いられ、前記送受信機５３０は前記第１シーケンスの長さを示すための第２指示情報を前記端末に送信することに用いられる。
【０１３３】
好ましくは、一実施例として、前記プロセッサ５２０は、更に、前記端末装置の専用パラメータに基づいて前記第１シーケンスを生成することに用いられる。
【０１３４】
好ましくは、一実施例として、前記送受信機５３０は、更に、第２時間周波数リソースにおいて前記アップリンクデータを受信することに用いられ、前記第２時間周波数リソースが時間ユニットＮを占有し、前記第１時間周波数リソースが時間ユニットＮ＋Ｋを占有し、ＮとＫがいずれも非負整数である。
【０１３５】
好ましくは、一実施例として、前記第１時間周波数リソースが少なくとも１つの物理リソースブロック（ＰＲＢ）におけるすべての利用可能なリソース要素（ＲＥ）である。
【０１３６】
好ましくは、一実施例として、前記第１時間周波数リソースが少なくとも１つのＰＲＢの時間シンボルの一部におけるすべての利用可能なＲＥである。
【０１３７】
好ましくは、一実施例として、前記第１時間周波数リソースが少なくとも１つの時間シンボルにおける利用可能なＲＥである。
【０１３８】
好ましくは、一実施例として、前記第１シーケンスが直交シーケンス又はＺＣシーケンスである。
【０１３９】
好ましくは、一実施例として、前記送受信機５３０は、更に、前記アップリンクデータを正しく受信していない場合、前記第１時間周波数リソースにおいて前記ネットワーク側装置が前記アップリンクデータを正しく受信していないことを示すための第２シーケンスを前記端末装置に送信することに用いられる。
【０１４０】
好ましくは、一実施例として、前記ネットワーク側装置がスケジューリングなしでのアップリンクデータの伝送に適用される。
【０１４１】
図９は本発明の実施例の端末装置の模式的なブロック図である。図９に示す端末装置６００は、
プログラムを記憶するためのメモリ６１０と、
プロセッサ６２０と、
送受信機６３０と、を備える。
【０１４２】
前記プロセッサ６２０は前記メモリ６１０に記憶されるプログラムを実行することに用いられ、前記プログラムが実行されるとき、前記プロセッサ６２０は前記送受信機６３０をスケジューリングしてネットワーク側装置にアップリンクデータを送信することに用いられ、前記プロセッサ６２０は、更に、第１時間周波数リソースにおいて前記ネットワーク側装置から送信される、前記ネットワーク側装置が前記アップリンクデータを正しく受信したことを示すための第１シーケンスを検出することに用いられる。
【０１４３】
本発明の実施例において、アップリンクデータを正しく受信した場合、端末装置は該第１シーケンスを検出することでネットワーク側装置がアップリンクデータを受信したかどうかを確定するように、ネットワーク側装置が端末装置に第１シーケンスを送信し、それにより端末装置とネットワーク側装置とがデータ伝送を正常に行えるように確保する。
【０１４４】
好ましくは、一実施例として、前記プロセッサ６２０は、更に、前記端末装置の専用パラメータに基づいて前記第１時間周波数リソースが占有されている時間領域位置及び／又は周波数領域位置を確定することに用いられる。
【０１４５】
好ましくは、一実施例として、前記送受信機６３０は、更に、前記ネットワーク側装置から送信される、前記第１時間周波数リソースの時間領域位置及び／又は周波数領域位置を示すための第１指示情報を受信することに用いられ、前記処理モジュール４２０は前記第１指示情報に基づいて前記第１時間周波数リソースを確定することに用いられる。
【０１４６】
好ましくは、一実施例として、前記送受信機６３０は、更に、前記ネットワーク側装置から送信される、前記第１シーケンスの長さを示すための第２指示情報を受信することに用いられ、前記プロセッサ６２０は、更に、前記第２指示情報に基づいて前記第１シーケンスの長さを確定することに用いられる。
【０１４７】
好ましくは、一実施例として、前記プロセッサ６２０は、更に、前記端末装置の専用パラメータに基づいて前記第１シーケンスを確定することに用いられる。
【０１４８】
好ましくは、一実施例として、前記プロセッサ６２０は、更に、第２時間周波数リソースにおいて前記アップリンクデータを送信することに用いられ、前記第２時間周波数リソースが時間ユニットＮを占有し、前記第１時間周波数リソースが時間ユニットＮ＋Ｋを占有し、ＮとＫがいずれも非負整数である。
【０１４９】
好ましくは、一実施例として、前記第１時間周波数リソースが少なくとも１つの物理リソースブロック（ＰＲＢ）におけるすべての利用可能なリソース要素（ＲＥ）である。
【０１５０】
好ましくは、一実施例として、前記第１時間周波数リソースが少なくとも１つのＰＲＢの時間シンボルの一部におけるすべての利用可能なＲＥである。
【０１５１】
好ましくは、一実施例として、前記第１時間周波数リソースが少なくとも１つの時間シンボルにおける利用可能なＲＥである。
【０１５２】
好ましくは、一実施例として、前記第１シーケンスが直交シーケンス又はＺＣシーケンスである。
【０１５３】
好ましくは、一実施例として、前記プロセッサ６２０は、更に、第１時間周波数リソースにおいて前記ネットワーク側装置から送信される、前記ネットワーク側装置が前記アップリンクデータを正しく受信していないことを示すための第２シーケンスを検出することに用いられる。
【０１５４】
好ましくは、一実施例として、前記端末装置がスケジューリングなしでのアップリンクデータの伝送に適用される。
【０１５５】
図１０は本発明の実施例のシステムチップの構造模式図である。図１０におけるシステムチップ７００はシステムチップを含み、前記入力インターフェース７０１、出力インターフェース７０２、前記プロセッサ７０３及びメモリ７０４がバス７０５によって接続され、前記プロセッサ７０３は前記メモリ７０４におけるコードを実行することに用いられ、前記コードが実行されるとき、前記プロセッサ７０３は図１に示すネットワーク側装置で実行する方法を実現する。
【０１５６】
図１１は本発明の実施例のシステムチップの構造模式図である。図１１におけるシステムチップ８００はシステムチップを含み、前記入力インターフェース８０１、出力インターフェース８０２、前記プロセッサ８０３及びメモリ８０４がバス８０５によって接続され、前記プロセッサ８０３は前記メモリ８０４におけるコードを実行することに用いられ、前記コードが実行されるとき、前記プロセッサ８０３は図５に示す端末装置で実行する方法を実現する。
【０１５７】
当業者であれば、本明細書に開示される実施例を参照して説明した各例のユニット及びアルゴリズムステップは、電子ハードウェア、又はコンピュータソフトウェアと電子ハードウェアとの組み合わせによって実現されてもよいと理解される。これらの機能をハードウェア又はソフトウェア方式で実行するかは、技術案の特定アプリケーション及び設計制約条件によって確定される。当業者は各特定アプリケーションに対して様々な方法で説明される機能を実現することができるが、このような実現は本発明の範囲を超えると見なされるべきではない。
【０１５８】
当業者であれば、説明を容易且つ簡潔にするために、上記説明されるシステム、装置及びユニットの具体的な動作過程は、上記方法実施例における対応する過程を参照してもよく、詳細な説明は省略できると明確に理解される。
【０１５９】
本発明に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するときは、他の区別方式を用いてもよく、例えば複数のユニット又はコンポーネントは他のシステムに結合又は統合されてもよく、又は、いくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１６０】
分離部材として説明される前記ユニットは物理的に分離してもよく、物理的に分離しなくてもよく、ユニットとして表示される部材は物理ユニットであってもよく、物理ユニットでなくともよく、すなわち、一箇所に位置してもよく、複数のネットワークユニットに配置されてもよい。実際の必要に応じて、その一部又は全部のユニットを選択して本実施例案の目的を実現してもよい。
【０１６１】
また、本発明の各実施例において、各機能ユニットが１つの処理ユニットに統合されてもよく、各ユニットが独立して物理的に存在してもよく、２つ又は２つ以上のユニットが１つのユニットに統合されてもよい。
【０１６２】
前記機能はソフトウェア機能ユニットの形式で実現され、且つ独立した製品として販売又は使用されるとき、１つのコンピュータ可読記憶媒体に記憶されてもよい。このような理解に基づき、本発明の技術案の本質又は従来技術に貢献する部分又は該技術案の一部はソフトウェア製品の形式で具現されてもよく、該コンピュータソフトウェア製品は、１台のコンピュータ装置（パーソナルコンピュータ、サーバ、又はネットワーク装置等であってもよい）に本発明の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１６３】
以上の説明は、本発明の具体的な実施形態に過ぎず、本発明の保護範囲を制限するためのものではなく、当業者が本発明に開示される技術範囲内に容易に想到し得る変更や置換は、いずれも本発明の保護範囲内に含まれるべきである。従って、本発明の保護範囲は特許請求の範囲に準じるべきである。
【図１】
2020501384.tif 000003
【図２】
2020501384.tif 000004
【図３】
2020501384.tif 000005
【図４】
2020501384.tif 000006
【図５】
2020501384.tif 000007
【図６】
2020501384.tif 000008
【図７】
2020501384.tif 000009
【図８】
2020501384.tif 000010
【図９】
2020501384.tif 000011
【図１０】
2020501384.tif 000012
【図１１】
2020501384.tif 000013
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
アップリンクデータ伝送方法であって、
ネットワーク側装置が端末装置から送信されるアップリンクデータを受信することと、
前記アップリンクデータを正しく受信した場合、前記ネットワーク側装置は第１時間周波数リソースにおいて前記ネットワーク側装置が前記アップリンクデータを正しく受信したことを示すための第１シーケンスを前記端末装置に送信することと、を含むことを特徴とする、アップリンクデータ伝送方法。
【請求項２】
アップリンクデータ伝送方法であって、
端末装置がネットワーク側装置にアップリンクデータを送信することと、
前記端末装置は第１時間周波数リソースにおいて前記ネットワーク側装置から送信される、前記ネットワーク側装置が前記アップリンクデータを正しく受信したことを示すための第１シーケンスを検出することと、を含むことを特徴とする、アップリンクデータ伝送方法。
【請求項３】
前記方法は、更に、
前記端末装置が前記端末装置の専用パラメータに基づいて前記第１時間周波数リソースの占有されている時間領域位置及び／又は周波数領域位置を確定することを含むことを特徴とする
請求項２に記載の方法。
【請求項４】
前記方法は、更に、
前記端末装置が前記ネットワーク側装置から送信される、前記第１時間周波数リソースの時間領域位置及び／又は周波数領域位置を示すための第１指示情報を受信することと、を含むことを特徴とする
請求項２に記載の方法。
【請求項５】
前記方法は、更に、
前記端末装置が前記ネットワーク側装置から送信される、前記第１シーケンスの長さを示すための第２指示情報を受信すること、を含むことを特徴とする
請求項２乃至４のいずれか１項に記載の方法。
【請求項６】
前記第１のシーケンスが前記端末装置の専用パラメータに基づくものである、ことを特徴とする
請求項２乃至５のいずれか１項に記載の方法。
【請求項７】
前記端末装置が第２時間周波数リソースにおいて前記アップリンクデータを送信し、前記第２時間周波数リソースが時間ユニットＮを占有し、前記第１時間周波数リソースが時間ユニットＮ＋Ｋを占有し、ＮとＫがいずれも非負整数であることを特徴とする
請求項２乃至６のいずれか１項に記載の方法。
【請求項８】
前記第１時間周波数リソースが少なくとも１つの物理リソースブロック（ＰＲＢ）におけるすべての利用可能なリソース要素（ＲＥ）であることを特徴とする
請求項２乃至７のいずれか１項に記載の方法。
【請求項９】
前記第１時間周波数リソースが少なくとも１つのＰＲＢの時間シンボルの一部におけるすべての利用可能なＲＥであることを特徴とする
請求項２乃至７のいずれか１項に記載の方法。
【請求項１０】
前記第１時間周波数リソースが少なくとも１つの時間シンボルにおける利用可能なＲＥであることを特徴とする
請求項２乃至７のいずれか１項に記載の方法。
【請求項１１】
前記第１シーケンスが直交シーケンス又はＺＣシーケンスであることを特徴とする
請求項２乃至１０のいずれか１項に記載の方法。
【請求項１２】
前記方法は、更に、
前記端末装置が第１時間周波数リソースにおいて前記ネットワーク側装置から送信される、前記ネットワーク側装置が前記アップリンクデータを正しく受信していないことを示すための第２シーケンスを検出することを含むことを特徴とする
請求項２乃至１１のいずれか１項に記載の方法。
【請求項１３】
前記方法がスケジューリングなしでのアップリンクデータの伝送に適用されることを特徴とする
請求項２乃至１２のいずれか１項に記載の方法。
【請求項１４】
ネットワーク側装置であって、
プロセッサと、
前記プロセッサに実行される時に、前記プロセッサに請求項１に記載の方法を実行させるためのコードが記憶されるメモリと、を含むことを特徴とする、ネットワーク側装置。
【請求項１５】
端末装置であって、
プロセッサと、
前記プロセッサに実行される時に、前記プロセッサに請求項２〜１３のいずれか１項に記載の方法を実行させるためのコードが記憶されるメモリと、を含むことを特徴とする、端末装置。
【国際調査報告】
2020501384.tif 000014
2020501384.tif 000015
2020501384.tif 000016
2020501384.tif 000017